(57)【要約】本発明は、ヒトまたは動物の身体の一部に展延性組成物を提供するための装置に関するものであり、当該装置は、容器と、湿布器と、促進手段とを具備している。当該容器には、展延性組成物を入れることができるように構成されており、当該湿布器は、展延性組成物を提供するための構成であり、当該促進手段は、展延性組成物を容器から出して、湿布器と接触させるための構成である。また、容器に連結した位置決め手段を備えており、当該位置決め手段が湿布器の位置決めを行なって、容器から出された組成物が湿布器と接することができるように構成されている。これにより、湿布器への展延性組成物の提供をより制御し易くすることができる。展延性組成物は、湿布器内に形成された空間の容積を縮められることによって湿布器から出て身体に提供される。
2009528125.tif 000002
【特許請求の範囲】
【請求項１】
展延性組成物を入れることができるように構成された容器と、
展延性組成物を提供するための湿布器と、
上記容器からの展延性組成物の流出を促して、流出させた展延性組成物を上記湿布器と接触させるための促進手段と、を備えた、ヒトまたは動物の身体の一部に展延性組成物を提供するための装置であって、
上記容器に連結した位置決め手段を備えており、
上記当該位置決め手段は、上記湿布器の位置決めを行なって、上記容器から出された上記展延性組成物が上記湿布器と接することができるように構成されていることを特徴とする装置。
【請求項２】
上記容器には、流出開口部が設けられており、
上記位置決め手段は、上記流出開口部から上記展延性組成物が流出した先に上記湿布器が位置するように、上記流出開口部の近傍に当該湿布器を位置決めするように構成されていることを特徴とする請求項１に記載の装置。
【請求項３】
上記容器は、外圧が加わることによって容積が小さくなるタイプの容器であることを特徴とする請求項１または２に記載の装置。
【請求項４】
上記容器は、チューブから構成されていることを特徴とする請求項３に記載の装置。
【請求項５】
上記容器は、硬質の壁を有しており、
当該容器には、上記展延性組成物のほかに高圧ガスが含まれていることを特徴とする請求項１または２に記載の装置。
【請求項６】
上記容器の内部には、動かすことが可能な内部壁が設けられており、一方の側には上記展延性組成物が含まれており、他方の端には高圧ガスが含まれていることを特徴とする請求項５に記載の装置。
【請求項７】
上記容器には、上記位置決め手段によって位置決めされた上記湿布器によって操作することが可能なバルブが設けられていることを特徴とする請求項５または６に記載の装置。
【請求項８】
上記バルプは、上記位置決め手段によって位置決めされた上記湿布器のみによって操作することが可能であるように構成されていることを特徴とする請求項７に記載の装置。
【請求項９】
上記湿布器には、閉塞した外壁を有した芯部が設けられており、当該芯部には上記展延性組成物が接触することを特徴とする請求項１から８までの何れか１項に記載の装置。
【請求項１０】
上記芯部は、互いに異なる形状を有した第１部分と第２部分とを有しており、
上記第１部分及び上記第２部分の双方は、上記位置決め手段に配置することができ、且つ、上記展延性組成物が接触できるように構成されていることを特徴とする請求項９に記載の装置。
【請求項１１】
上記芯部は、回転対称体であることを特徴とする請求項９または１０に記載の装置。
【請求項１２】
上記芯部の周囲にスリーブが設けられていることを特徴とする請求項９、１０、または１１に記載の装置。
【請求項１３】
上記スリーブには、上記展延性組成物がそこから提供される開口が設けられていることを特徴とする請求項１２に記載の装置。
【請求項１４】
上記スリーブは、上記芯部に対して当該芯部の軸方向に移動可能であることを特徴とする請求項１２または１３に記載の装置。
【請求項１５】
上記スリーブには、放射方向に伸びるカラーが設けられていることを特徴とする請求項１４に記載の装置。
【請求項１６】
上記スリーブは、その移動経路の要部にわたってコアによって内面的に閉塞していることを特徴とする請求項１２から１５までの何れか１項に記載の装置。
【請求項１７】
上記スリーブの内部は、円筒型であることを特徴とする請求項１６に記載の装置。
【請求項１８】
上記スリーブは、変形可能であることを特徴とする請求項１６または１７に記載の装置。
【請求項１９】
上記スリーブは、上記芯部から離れている側の端に注入孔が設けられており、上記展延性組成物が、上記注入孔から上記芯部と上記スリーブとの間の空間に注入されるように構成されていることを特徴とする請求項１４から１８までの何れか１項に記載の装置。
【請求項２０】
上記芯部は、中空で、且つ注入孔が設けられており、上記展延性組成物が、上記注入孔から上記芯部と上記スリーブとの間の空間に注入されるように構成されていることを特徴とする請求項１４から１８までの何れか１項に記載の装置。
【請求項２１】
上記注入孔は、上記芯部と上記スリーブとの間の空間が縮小した場合に、上記展延性組成物を流出させることができるように構成されていることを特徴とする請求項１９または２０に記載の装置。
【請求項２２】
上記芯部に、目盛分割が設けられていることを特徴とする請求項１６から２１までの何れか１項に記載の装置。
【請求項２３】
上記スリーブ及び上記芯部とは、上記スリーブもしくは上記芯部に設けられた上記注入孔を通じて上記芯部と上記スリーブとの間の空間に上記展延性組成物が充填されている場合には、上記芯部を上記スリーブに対して取り外すことができるように構成されていることを特徴とする請求項２０、２１、または２２に記載の装置。
【請求項２４】
上記スリーブは、上記容器の上記バルブを操作できるように構成されていることを特徴とする請求項２３に記載の装置。
【請求項２５】
上記スリーブに形成された上記注入孔は、上記バルブの操作素子の上に咬合するように構成されていることを特徴とする請求項２４に記載の装置。
【請求項２６】
上記位置決め手段は、スナップ連結を用いて上記スリーブに固定するように構成されていることを特徴とする請求項１から２５までの何れか１項に記載の装置。
【請求項２７】
上記スナップ連結は、上記位置決め手段に対して軸方向に上記スリーブの移動を可能とするように構成されていることを特徴とする請求項２６に記載の装置。
【請求項２８】
上記スリーブは、取り外し可能なかたちで上記芯部に連結されていることを特徴とする請求項１２から２７までの何れか１項に記載の装置。
【請求項２９】
上記芯部は、上記スリーブの内部に拘束可能な構成であることを特徴とする請求項１２から１８までの何れか１項に記載の装置。
【請求項３０】
上記スリーブの少なくとも一部分は、圧縮性を有しており、
上記芯部は、上記スリーブが圧縮されている場合に、上記スリーブの内部に拘束されていることを特徴とする請求項２９に記載の装置。
【請求項３１】
上記スリーブには、空洞の何れか一方の側に２つの切れ込みが設けられていることを特徴とする請求項３０に記載の装置。
【請求項３２】
上記湿布器は、身体の体腔内に上記展延性組成物を提供することができるように構成されていることを特徴とする請求項１から３１までの何れか１項に記載の装置。
【請求項３３】
上記湿布器は、肛門内に上記展延性組成物を提供することができるように構成されていることを特徴とする請求項３２に記載の装置。
【請求項３４】
請求項１から３３までの何れか１項に記載の装置に配設されるように構成されていることを特徴とする容器。
【請求項３５】
請求項１から３４までの何れか１項に記載の装置に配設されるように構成されていることを特徴とする湿布器。
【請求項３６】
展延性組成物を容器から出して、湿布器と接触させる工程と、湿布器から展延性組成物を身体の一部に提供する工程とを含むヒトまたは動物の身体の一部に展延性組成物を提供するための方法であって、
湿布器を位置決め手段によって位置決めすることによって、容器からの展延性組成物の流出を促して湿布器と付着させることを特徴とする方法。
【請求項３７】
上記展延性組成物を、上記容器から上記湿布器によって形成された空間に移すことを特徴とする請求項３６に記載の方法。
【請求項３８】
上記容器から上記湿布器によって形成された空間への上記展延性組成物の流出を、上記容器のバルブを上記湿布器によって操作することによって行なうことを特徴とする請求項３７に記載の方法。
【請求項３９】
上記湿布器によって形成される空洞の容積を減少させることによって、上記展延性組成物は、上記容器から身体への移動を促されることを特徴とする請求項３７または３８に記載の方法。
【請求項４０】
上記展延性組成物の少なくとも一部は、上記空間の内部へもしくは外部へ、上記注入孔を通じて運ばれることを特徴とする請求項３９に記載の方法。
【請求項４１】
上記芯部と上記スリーブとの間の空間に上記展延性組成物を充填する間に、当該空間の体積を読むことができることを特徴とする請求項３６から４０までの何れか１項に記載の方法。
【発明の詳細な説明】
【発明の詳細な説明】
【０００１】
本発明は、ヒトまたは動物の身体の一部に展延性組成物を提供するための装置に関するものであり、当該装置は、容器と、湿布器と、促進手段とを具備している。当該容器は、展延性組成物を入れることができるように構成されており、当該湿布器は、展延性組成物を提供するための構成であり、当該促進手段は、展延性組成物を容器から出して、湿布器と接触させるための構成である。展延性組成物は、例えば、軟膏やゲルやクリームのような形態のものである。上記のような装置としては、展延性組成物を有したチューブ、及び小さな綿の形態が知られている。展延性組成物が或る量ほどチューブから当該綿の上に搾り出されて、身体の一部に提供される。
【０００２】
展延性組成物の提供を上記のような綿を用いて行なう場合、通常作業が煩雑で、これを回避するためにはスキルが必要であった。
【０００３】
上述のような問題を防ぐために本発明が提供する装置は、容器に連結した位置決め手段を備えており、当該位置決め手段が湿布器の位置決めを行なって、容器から出された組成物が湿布器と接することができるように構成されている。
【０００４】
その結果、湿布器上の展延性組成物は、以前よりもより制御し易くなり、煩雑さを回避することができる。
【０００５】
同じ効果は、ヒトまたは動物の身体の一部に展延性組成物を提供するための方法においても言えることである。すなわち、展延性組成物を容器から出して、湿布器と接触させる工程と、湿布器から展延性組成物を身体の一部に提供する工程とを含み、湿布器を位置決め手段によって位置決めすることによって、容器からの展延性組成物の流出を促して湿布器に付着させるようになっている。
【０００６】
好ましい形態においては、流出開口部が設けられた容器と、位置決め手段とが、湿布器を、当該流出開口部の近傍にて、流出開口部からの展延性組成物の流出方向に、位置決めする。
【０００７】
これらにより、流出開口部を介した湿布器への展延性組成物の流出を、流出をガイドするガイド手段を用いることなく実現することができ、装置の簡素化と、清掃動作の大幅な限定を実現することができる。通常、湿布器は身体の一部分に置いて用いられる。そのため、感染の危険性が懸念され、湿布器や当該湿布器に接触する容器の接触箇所にとって、簡易な清掃は重要である。これは、また、湿布器を複数回使用することを可能にしているともいえる。
【０００８】
更に別の実施形態においては、外部から力が加わることによって容積が小さくなるようなタイプの容器を用いている。これにより、展延性組成物を湿布器に提供するプロセスは、より制御し易いものとなる。
【０００９】
簡素で安価な実施形態としては、チューブを容器として用いた構成である。
【００１０】
湿布器上に展延性組成物を配置するプロセスをユーザーにとってシンプルなものとするためには、（例えば、ユーザーにとって重要な制限は）、容器が硬質の外壁を有している場合であって、且つ、容器に展延性組成物のほかに高圧（促進）ガスが入っている場合が好ましい。
【００１１】
技術的に最適な構造は、容器が、可動式の内部壁を有している場合である。この場合、展延性組成物が一方に在って、他方に高圧（促進）ガスが在る場合である。これによれば、高圧（促進）ガスを容易に選択することができる。
【００１２】
更に別の実施形態においては、バルブを有した容器を用いるものである。このバルプは、位置決め手段によって位置決めされた湿布器によって操作することが可能なものである。操作は、非常に簡易であるため、煩雑さは低減される。
【００１３】
展延性組成物を湿布器上に配置する場合の煩雑さは、位置決め手段によって位置決めされた湿布器によってバルブを操作するだけで解消することができる。
【００１４】
多孔質材料から構成された湿布器を使用したとしても、湿布器内部に展延性組成物が吸い込まれることを防ぐために、展延性組成物と接触するように構成された、湿布器のコア（芯部）が、閉塞した（非多孔質）外壁を有したコアであることが好ましい。コアの閉塞した外壁は、最終的に展延性組成物が湿布器に引き込まれて、もはや所望の位置に提要されてないという事態を防ぐことができる。湿布器の上記した閉塞された表面は、清掃及び再利用にも貢献することができる。
【００１５】
或る実施形態では、上記コアが、互いに異なる形態をもつ第１部分と第２部分とを有したコアとなっている。双方の部分は、位置決め手段の内部に位置し、展延性組成物と接触することになる。このような互いに異なった形態の部分を使用することは、展延性組成物が置かれる部分についての選択を提供する。ユーザーは、展延性組成物を付ける身体上の位置（例えば、体腔）に応じてこの選択を実施することができる。その後、展延性組成物は一方の部分の上に配置され、他方の部分はコアを握るために使用される。
【００１６】
コアは、その構造が回転対称体である場合に簡素化することが可能である。
【００１７】
湿布器の使い易さは、コアに加えて、コアの周囲にスリーブが設けられている場合に向上する。このスリーブは、容器から肌へ展延性組成物が移動している間に、コアとスリーブとの間の展延性組成物をいち早く保持することができるように作用する。そのために、スリーブは好ましくは、スリーブとコアとの間に空間が形成されるように囲むように設けられている。この空間には、展延性組成物を充填することができる。スリーブは、コアの第１部分または第２部分に設けることができるが、第１部分及び第２部分の双方に設けてもよい。
【００１８】
これらの作用は、湿布器によって形成された空間に、容器から展延性組成物が搬入される方法によって達成される。
【００１９】
他の実施形態によれば、スリーブに開口部が形成されているものであってもよい。これらの開口部は、展延性組成物の提供のために用いることができる。湿布器は、体腔内に展延性組成物を提供するために適している。なぜなら、展延性組成物は、湿布器の先端のみならず、側部にも付着するようになっているからである。そのため、体腔の壁面にも組成物を提供することができる。
【００２０】
これらの効果はまた、展延性組成物の少なくとも一部分を注入開口部を通じて空間に出し入れすることによって達成することができる。
【００２１】
容器に高圧ガスが含まれている場合には、湿布器による容器のバルブの操作を通じて、湿布器内に形成された空間に、容器から流出した展延性組成物が流入する方法に用いられることが好ましい。
【００２２】
空間に充填したり、充填されている状態から空にするために、スリーブは、コアに対して軸方向に移動するようになっている。これは、コアとスリーブとの間の空間の容積を可変することができるように、コア及びスリーブが互いに適切な構造に設計されていることによるものである。これにより、展延性組成物の提供を行なうときに展延性組成物の部分的な流出を促すことができる。
【００２３】
この効果は、湿布器に形成された空間の容積を減らすことによって、湿布器から身体への展延性組成物を促すことによって実現することができる。
【００２４】
スリーブに、ほぼ放射方向に伸びたカラーが設けられている場合に、スリーブ及びコアの移動を、手動によって行なうことを可能にする。これによれば、このカラーは指で掴むことができる。
【００２５】
コアと、湿布器に形成された空間との間の空間からの展延性組成物の流出の促進は、スリーブが、その移動経路のかなりの部分をコアによって内側に封じられているときに実現することができる。それによりコアは、シリンダー状に構成されたスリーブの内部をピストンとして機能することができる。
【００２６】
上述した構成によれば、湿布器の構造は、スリーブのインテリアが円筒形である場合には、簡素化される。これにより、コアは、シリンダー内のピストンの要領で、スリーブ内を相互にスライドすることができる。
【００２７】
実施形態のいくつかにおいては、スリーブの外壁が円錐形となっている。これにより、スリーブの内側を円柱形とすることができる。これにより、上述した手法が実現することができるとともに、概して円錐形の空間を使用することも可能となる。スリーブはフレキシブルな材質のもので構成することができ、これにより、円筒のコアによって封じられるように変形することができる。
【００２８】
スリーブにおける、コアから離れた側の端に、コアとスリーブとの間の空間に展延性組成物を注入するための注入孔が形成されている場合に、湿布器の充填をより効果的に行なうことができる。使用中に、この注入孔を通じて大量の展延性組成物が流出しないように、注入孔は大きすぎない大きさで設けられる。
【００２９】
また、コアを中空にするとともに、コアとスリーブとの間の空間に展延性組成物を注入するための注入孔をコアに設けることも可能である。コアの中空部分は、容器のバルブに連結する構成とすることができる。そして、コアによってバルブが操作することができる。例えば、コアがバルブに咬合するなどが挙げられる。
【００３０】
注入孔は、コアとスリーブとの間の空間を充填するために用いられるだけでなく、その使用中において、展延性組成物の流出を促すために用いることもできる。
【００３１】
展延性組成物の量を知るために、コアには分割目盛が設けられている。この表示は、空間を充填するために用いることができる。コアが最終的にスリーブから突き出ることで、コアに設けられた分割目盛が読みやすいようになっている。
【００３２】
また、コアとスリーブとの間の空間の充填が行なわれる間、空間の容積を読むことができる。
【００３３】
スリーブに形成された注入孔を通じて、コアとスリーブとの間に形成された空間が充填されるとスリープに対してコアが離れるようにコアとスリーブとが構成された場合には、コアは、注入されている間、ピストンのように外側に移動することができ、展延性組成物のための空間を提供する。
【００３４】
スリーブが、容器のバルブによって操作できるように構成されている場合は、湿布器の注入操作は非常に簡単に行なうことができる。湿布器に充填するためには、ただ、十分な量の展延性組成物が湿布器に入るまで指でスリーブを押せば良いだけである。
【００３５】
また、スリーブが、バルブの操作素子と咬合するように構成されていると、スリーブとバルブとの間の移動を簡素化することが可能である。
【００３６】
湿布器のラテラル方向の移動を防ぐためには、位置決め手段が、スナップ・コネクションを用いてスリーブに固定されるように構成されていることが好ましい。
【００３７】
位置決め手段に対する軸方向のスリーブの移動を可能とするようにスナップ・コネクションが構成されている場合の注入操作が好ましい。
【００３８】
また、コア及びスリーブの双方を、または何れかを使い捨てにしてもよいが、少なくと何れかは、好ましくはコアを、使用後に洗浄して再利用することができる構成とすることが好ましい。しかしながら、場合によっては、使用するごとにスリーブを取り外す構成としても良い。これは、孔があることによって十分に洗浄できない場合があるからである。
【００３９】
スリーブ内の空間が充填されていて、且つ湿布器が完全に除かれている場合には、バルブとスリーブとの間の閉鎖により、コアが内部に移動する間に空間の内容物を排出させる力がスリーブ内に及ぼされる虞がある。この問題を回避するためには、或る実施形態では、スリーブ内にコアを拘束するものがある。そのような力はここでは未だ形成されるけれども、バルブから注入孔が外れるまで形成されるだけである。
【００４０】
上記した拘束を、可能な限り簡易に実現するためには、スリーブの少なくとも一部分に圧縮性を持たせ、スリーブが圧縮しているところにコアが拘束されると良い。
【００４１】
この圧縮性は、スリーブにおける空間の両端のうちの一方にノッチを形成することによって、簡易に実現することができる。
【００４２】
本発明に重要な点として、咽頭、耳、鼻孔、脇のくぼみ、膣といった体腔内に展延性組成物を簡易に提供することができることにある。
【００４３】
最も有効な使用例としては、肛門内への展延性組成物の提供である。
【００４４】
本発明はまた、請求項に記載の装置に対して適用することができる容器についても含まれる。また同じく、請求項に記載の装置に対して適用することができる湿布器についても含まれる。
【００４５】
以下に、次のような図面を用いて本発明について説明する。
【００４６】
図１Ａは、本発明の第１の実施形態に関し、第１部分にコアを有する形態の断面図である。
【００４７】
図１Ｂは、図１Ａに示す実施形態に関し、第２部分にコアを有する形態の断面図である。
【００４８】
図２は、本発明の第２の実施形態に関する断面図である。
【００４９】
図３Ａ〜図３Ｆは、本発明の第３の実施形態に関する断面図である。
【００５０】
図４は、本発明の第３の実施形態の変形例に関する断面図である。
【００５１】
図５は、本発明の第４の実施形態に関する断面図である。
【００５２】
図１は、容器としてのチューブ１を示しており、内部には、クリームまたは軟膏のような展延性組成物が充填されている。チューブ１には、外部にネジ山が形成されている環状素子３によって囲まれた開口部２が設けられている。そして、当該ネジ山に羅合するシリンダー４が位置決め手段として構成されている。位置決め手段は、位置決めを行なうために設けられており、内部にネジ山を有する開口が設けられている。当該開口から離れた側の端部には、位置決め手段が位置決めリング５とともに設けられている。この位置決めリング５は、湿布器６を位置決めするために用いられる。
【００５３】
図１に示す湿布器６には、丸い先端８を有するほぼ円筒型である円筒部７と、丸い底部１０、及び円筒部７に置き換わった上端部を有するほぼ円錐型である円錐部９とが設けられている。湿布器６は、ここでは、クリームまたは軟膏のような展延性組成物を身体に提供するために設けられている。この湿布器の形状は、例えば体腔のように展延性組成物を付ける身体上の位置に依存する。
【００５４】
本形態を使用する場合は、ユーザーは、所望の湿布面を有する湿布器を、位置決め手段の上に配置する。ここでは、位置決めリング５によって湿布器の位置が決定される。次にユーザーは、チューブ１を押して、チューブ内部の容積を小さくして（縮めて）、チューブ１の開口部２に展延性組成物を排出する。すると、展延性組成物は、位置決め手段の内部に入り、湿布器６の曲面１０に接触する。その後、湿布器を取り出して、軟膏またはクリームを身体の上または内部の所望の位置に提供する。
【００５５】
また、図１Ｂに示すように、湿布器６のもう一方の側を使用することも可能である。ここでも、位置決めリング５が湿布器６のもう一方の側の位置決めに用いられる。湿布器６の円筒部７は、提供される軟膏またはクリームと接触するようになる。この湿布器６の後者の位置は、特に、肛門のような体腔に対して軟膏またはクリームを提供するのに適している。
【００５６】
容器としては、上述したチューブ１以外にも、硬質の壁を有した容器で、内部には、展延性組成物に加えて、展延性組成物を外に流出するのを促すための高圧（促進）ガスが充填されているものを用いることも可能である。そのような容器１１を、図２に示す。この容器１１は、硬質の壁１２を有しており、容器の上部は、制御バルブ１３が設けられた上壁１２によって、周知の方法で密封されている。本形態においては、可撓性材料の内部壁１４を有していて、バッグのような形をした内部壁１４は、その外側に位置する高速ガスと、内側に或る展延性組成物とを分離するために設けられている。内部壁１４は、上記バルブとつながっており、これにより、当該バルブが開けば展延性組成物が外に流出する。湿布器の位置決めのために、付属物１５が用いられる。付属物１５は、位置決め手段として、湿布器１６の球状部１７と尖ったシャープ部１８との双方の位置に適合する。そのリリース能は、当該付属品の洗浄を可能にする。
【００５７】
重要な点としては、十分な空間を残した状態で位置決めされる点である。その空間があることによって、軟膏またはクリームが、湿布器のほうへ向かい、且つ、湿布器に接触することができるのである。この目的のためには多少の余裕（遊び）が必要である。湿布器の密閉特性あるいは遮水特性は、一方でまた重要である。それは、軟膏またはクリームが湿布器に染み込むことを防ぐためである。そして、これだけではなく、繰り返し使用される湿布器の適切な清掃を可能にする。
【００５８】
図３Ａ〜図３Ｆに示す実施形態は、湿布器の形状が、上述した実施形態のものとは異なっている点において相違する。湿布器は、上述した実施形態全体に沿った湿布器１７に相当するコア１６によって形成されている。このコア１６の周囲は、カラー２２とともに広角端に設けられたほぼ円錐型である円錐部２１が設けられたスリーブ２０が設けられている。円錐部２１の下側には、注入孔２３が設けられている。円錐部２１の注入孔２３の近傍には、複数の開口部２４が設けられている。スリーブ２０及びコア１６の材料の選択は、コア１６がスリーブ２０の内側の制限されている経路を滑ることができるようなものであればよく、ピストンのようにコア１６がこの経路にわたってシリンダーをふさぐように構成されている。様々な大きさの空間２５がコアとスリーブとの間に形成されている。このような多種の大きさの空間は別の方法によっても形成することができる。例えば、複数の円筒素子を用いてもよい。硬質の材料は、コア及びスリーブの材料として十分である。
【００５９】
本形態における容器は、図２を用いて説明した容器と異なっており、本形態の容器には、容器の内部に可撓性を有する壁が無い。アダプター２６もまた付属物１５内に配設されている。このアダプター２７は、容器の上に配置された場合の湿布器のより良いガイドとして機能する。アダプター２６の上側は、別の円筒容器１１の軸方向の移動のために、付属物１５内に搭載されている。アダプター２６の下側は、バルブ１３に連結しており、容易のバルブ１３は、アダプター２６が下側に移動すると開くように構成されている。付属物１５と同様に、アダプター２６もまた、洗浄のために取り外すことができる。このような目的のために、アダプターには、厚くなった部分３３がその外側に設けられており、当該部分３３は、付属物１５の曲面部の下に取り外し可能な形で取り付けられている。着脱可能なキャップ２７は、容器１１の上に配置された構成部材の保護のために設けられている。
【００６０】
この装置の操作について説明する。図３Ａに示す状態から始める。まず、容器１１の上に配置されたキャップ２７が取り除かれる。そうすることによって図３Ｂの状態が得られる。湿布器１６、２０はここでは接近可能である。
【００６１】
スリーブ２０のカラー２２を押すことによって、スリーブ２０のアセンブリーと、コア１６と、アダプター２７とが下方に移動する。この状態を、図３Ｃに示す。バルブ１３は、アダプター２６の下方への移動によって操作され、これにより、バルブ１３は開放し、展延性組成物が、容器からバルブ１３を残す。この動作の間、コア１６とスリーブ２０との間の空間２５に展延性組成物が充填され、コア１６に上方の力がかかる。空間２５に十分な量の展延性組成物が現れたら、ユーザーはスリーブ２０を押すことを中止する。
【００６２】
スリーブ２０とコア１６とのアセンブリーの形態の湿布器は次に、図３Ｄのような状態になる。取り除かれたアセンブリーは続いて、展延性組成物が提供されるべき身体の上または身体の体腔の内部の位置に運ばれる。スリーブ２０をコア１６の厚い部分１７へ移動することによって、スリーブ２０と厚い部分１７との間の空間２５が減少し、これにより、この空間２５内に在った展延性組成物に、開口部２３，２４と通じて、外方向への力が与えられる。この状態を、図３Ｅに示す。
【００６３】
アダプター１６、２０はその後、例えば図３Ｆに示すような湯水の蛇口の下で清掃される。そしてこれらの構成部材は、容器１１に再配置される。
【００６４】
図４は、図３Ａ〜図３Ｆに示した実施形態の変形例を詳細に示したものである。これらの変形例は、スリーブ２０の円筒空間内を移動する円筒コア１６の存在によって相違しており、コア１６とスリーブ２０との間に良好な密閉部が設けられている。これは、図３Ａ〜図３Ｆに示した実施形態と比較すると、この密閉（シール）は、ほぼ円錐のスリーブ２０を変形させることによって実現することができる。本形態においては、スリーブ２０は、注入孔２３の近傍においてのみ円錐形状である。コアはさらに、目盛分割２８とともに構成されている。これにより、展延性組成物の量を適切に決定することができる。
【００６５】
上述した数々の実施形態では、空間の大きさを可変させるために、スリーブが常に変位する構成となっている。しかし、他の形態であっても空間を可変させることができる。例えば、ベローズのような湿布器を用いることによって実現することができ、中空コアが用いられ、当該コアの空洞が様々な容積とともにベローズに接続されている。コアの先端はまた、容器のバルブを操作するために用いることができる。バルブが開くと、ベローズは展延性組成物によって充填され、ベローズの容積が縮小すると、展延性組成物はコアに形成された開口部から外に流出する。
【００６６】
第４の実施形態について図５に示す。この形態は、図３に示した形態と比較して、構成部材の円筒形設計が相違している。湿布器は、円筒形の空間を有しており、コア１６はスリーブ２０の内部を移動して、スリーブ２０におけるコア１６の移動によって空間２５の体積が縮小され、空間内の展延性組成物がこのスリーブに形成された開口部２３、２４を通じて流出する。この形態では、スリーブ２０が更に、直接、カラー３０に置き換わり、これにより、上述した他の実施形態におけるカラー３０とコア２０との間の空間の汚染（コンタミネーション）を防ぐことができる。
【００６７】
また、図示していないが、カラー２２の軸方向に伸びる２つの溝をスリーブ２１の下側から所定の間隔をあけた位置に設けても良い。このような溝があることによって、スリーブ２１の上側を圧縮することができる。この圧縮性は、バルブから取り除く間、湿布器に注入した後の固定クランプコア１６に対して用いることができる。これで、スリーブ２１とコア１６との間の空間の中身の危険性がなくなる。体積の減少は、固定クランプコア１６によって回避される。コア１６の押し付け（クランピング）を促進するために、溝によって２つに分けられているカラー２２は、カラー２２の下側に位置する円筒部３０に接続されている。この円筒部３０はまた、溝によって２つに分けられており、これにより、２つになった部３０の圧縮が可能となる。
【００６８】
各実施形態に示す構成同士は組み合わせることが可能である。また、おびただしい数の変形例も、本発明の範囲内である。
【図面の簡単な説明】
【００６９】
【図１Ａ】本発明の第１の実施形態に関し、第１部分にコアを有する形態の断面図である。
【図１Ｂ】図１Ａに示す実施形態に関し、第２部分にコアを有する形態の断面図である。
【図２】本発明の第２の実施形態に関する断面図である。
【図３Ａ】本発明の第３の実施形態に関する断面図である。
【図３Ｂ】本発明の第３の実施形態に関する断面図である。
【図３Ｃ】本発明の第３の実施形態に関する断面図である。
【図３Ｄ】本発明の第３の実施形態に関する断面図である。
【図３Ｅ】本発明の第３の実施形態に関する断面図である。
【図３Ｆ】本発明の第３の実施形態に関する断面図である。
【図４】本発明の第３の実施形態の変形例に関する断面図である。
【図５】本発明の第４の実施形態に関する断面図である。
【図１ａ】
2009528125.tif 000003
【図１ｂ】
2009528125.tif 000004
【図２】
2009528125.tif 000005
【図３ａ】
2009528125.tif 000006
【図３ｂ】
2009528125.tif 000007
【図３ｃ】
2009528125.tif 000008
【図３ｄ】
2009528125.tif 000009
【図３ｅ】
2009528125.tif 000010
【図３ｆ】
2009528125.tif 000011
【図４】
2009528125.tif 000012
【図５】
2009528125.tif 000013
【国際調査報告】
2009528125.tif 000014
2009528125.tif 000015
2009528125.tif 000016
2009528125.tif 000017